【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
ダウンミックス信号と空間情報を受信する段階と、
前記ダウンミックス信号と前記空間情報を用いて、サラウンド変換情報を生成する段階と、
あらかじめ設定されたレンダリングドメイン上で、前記サラウンド変換情報を用いて前記ダウンミックス信号をレンダリングして仮想サラウンド信号を生成する段階と、
を含むことを特徴とする、オーディオ信号のデコーディング方法。
【請求項２】
前記レンダリングドメインの前記仮想サラウンド信号を出力ドメインの仮想サラウンド信号に変換する段階をさらに含むことを特徴とする、請求項１に記載のオーディオ信号のデコーディング方法。
【請求項３】
前記レンダリングドメインは、周波数ドメイン及び時間ドメインのうちの少なくとも一つを含み、
前記周波数ドメインは、サブバンドドメイン及び離散周波数ドメインのうちの少なくとも一つを含み、
前記サブバンドドメインは、シンプルサブバンドドメイン及びハイブリッドサブバンドドメインのうちの少なくとも一つを含むことを特徴とする、請求項１に記載のオーディオ信号のデコーディング方法。
【請求項４】
ダウンミックスドメインがあらかじめ設定されたレンダリングドメインと異なる場合、前記ダウンミックスドメインの前記ダウンミックス信号をあらかじめ設定されたレンダリングドメインの前記ダウンミックス信号に変換する段階を更に含むことを特徴とする、請求項１に記載のオーディオ信号のデコーディング方法。
【請求項５】
前記ダウンミックス変換段階は、
前記ダウンミックスドメインが時間ドメインである場合、前記時間ドメインの前記ダウンミックス信号をあらかじめ設定されたレンダリングドメインの前記ダウンミックス信号に変更する段階と、
前記ダウンミックスドメインが離散周波数ドメインである場合、前記離散周波数ドメインの前記ダウンミックス信号をあらかじめ設定されたレンダリングドメインの前記ダウンミックス信号に変更する段階と、
前記ダウンミックスドメインが離散周波数ドメインである場合、前記離散周波数ドメインの前記ダウンミックス信号をあらかじめ設定されたレンダリングドメインの前記ダウンミックス信号に変更した後、変更された時間ドメインの前記ダウンミックス信号をあらかじめ設定されたレンダリングドメインのダウンミックス信号に変更する段階のうち、少なくとも一つを含むことを特徴とする、請求項４に記載のオーディオ信号のデコーディング方法。
【請求項６】
あらかじめ設定されたレンダリングドメインがサブバンドドメインであり、前記ダウンミックス信号が第１信号及び第２信号を含み、前記ダウンミックス信号レンダリング段階は、
前記サラウンド変換情報を前記第１信号に適用する段階と、
前記サラウンド変換情報を前記第２信号に適用する段階と、
前記第１信号と前記第２信号とを加算する段階と、
を含むことを特徴とする、請求項１に記載のオーディオ信号のデコーディング方法。
【請求項７】
前記空間情報及びフィルタ情報を用いて前記サラウンド変換情報を生成することを特徴とする、請求項１に記載のオーディオ信号のデコーディング方法。
【請求項８】
前記サラウンド変換情報生成段階は、
前記空間情報をチャネル別にマッピングしたチャネルマッピング情報を生成する段階と、
前記チャネルマッピング情報及びフィルタ情報を用いて前記サラウンド変換情報を生成する段階と、
を含むことを特徴とする、請求項１に記載のオーディオ信号のデコーディング方法。
【請求項９】
前記サラウンド変換情報生成段階は、
前記空間情報及びフィルタ情報を用いてチャネル係数情報を生成する段階と、
前記チャネル係数情報を用いて前記サラウンド変換情報を生成する段階と、
を含むことを特徴とする、請求項１に記載のオーディオ信号のデコーディング方法。
【請求項１０】
前記サラウンド変換情報生成段階は、
前記空間情報をチャネル別にマッピングしたチャネルマッピング情報を生成する段階と、
前記チャネルマッピング情報及びフィルタ情報を用いてチャネル係数情報を生成する段階と、
前記チャネル係数情報を用いて前記サラウンド変換情報を生成する段階と、
を含むことを特徴とする、請求項１に記載のオーディオ信号のデコーディング方法。
【請求項１１】
前記ダウンミックス信号及び前記空間情報を含むオーディオ信号を受信する段階をさらに含み、
前記ダウンミックス信号及び前記空間信号は、前記オーディオ信号から抽出されることを特徴とする、請求項１に記載のオーディオ信号のデコーディング方法。
【請求項１２】
前記空間情報がＣＬＤとＩＣＣのうちの少なくとも一方を含むことを特徴とする、請求項１に記載のオーディオ信号のデコーディング方法。
【請求項１３】
ダウンミックス信号と空間情報を受信する逆多重化部と、
前記ダウンミックス信号と前記空間情報を用いて、サラウンド変換情報を生成する情報変換部と、
あらかじめ設定されたレンダリングドメイン上で、前記サラウンド変換情報を用いて前記ダウンミックス信号をレンダリングして仮想サラウンド信号を生成する仮想サラウンド生成部と、
を含むことを特徴とする、オーディオ信号のデコーディング装置。
【請求項１４】
前記仮想サラウンド生成部は、前記レンダリングドメインの前記仮想サラウンド信号を出力ドメインの仮想サラウンド信号に変換する出力ドメイン変換部をさらに含むことを特徴とする、請求項１３に記載のオーディオ信号のデコーディング装置。
【請求項１５】
前記レンダリングドメインは、周波数ドメイン及び時間ドメインのうちの少なくとも一つを含み、
前記周波数ドメインは、サブバンドドメイン及び離散周波数ドメインのうちの少なくとも一つを含み、
前記サブバンドドメインは、シンプルサブバンドドメイン及びハイブリッドサブバンドドメインのうちの少なくとも一つを含むことを特徴とする、請求項１３に記載のオーディオ信号のデコーディング装置。
【請求項１６】
前記仮想サラウンド生成部は、ダウンミックスドメインがあらかじめ設定されたレンダリングドメインと異なる場合、前記ダウンミックスドメインの前記ダウンミックス信号をあらかじめ設定されたレンダリングドメインの前記ダウンミックス信号に変換するレンダリングドメイン変換部を含むことを特徴とする、請求項１３に記載のオーディオ信号のデコーディング装置。
【請求項１７】
前記レンダリングドメイン変換部は、
前記ダウンミックスドメインが時間ドメインである場合、前記時間ドメインの前記ダウンミックス信号をあらかじめ設定されたレンダリングドメインの前記ダウンミックス信号に変更する第１のドメイン変換部と、
前記ダウンミックスドメインが離散周波数ドメインである場合、前記離散周波数ドメインの前記ダウンミックス信号をあらかじめ設定されたレンダリングドメインの前記ダウンミックス信号に変更する第２のドメイン変換部と、
前記ダウンミックスドメインが離散周波数ドメインである場合、前記離散周波数ドメインの前記ダウンミックス信号をあらかじめ設定されたレンダリングドメインの前記ダウンミックス信号に変更した後、変更された時間ドメインの前記ダウンミックス信号をあらかじめ設定されたレンダリングドメインのダウンミックス信号に変更する第３のドメイン変換部のうち、少なくとも一つを含むことを特徴とする、請求項１６に記載のオーディオ信号のデコーディング装置。
【請求項１８】
あらかじめ設定されたレンダリングドメインがサブバンドドメインであり、前記ダウンミックス信号が第１信号及び第２信号を含み、前記仮想サラウンド生成部は、前記サラウンド変換情報を前記第１信号に適用し、前記サラウンド変換情報を前記第２信号に適用し、前記第１信号と前記第２信号とを加算することを特徴とする、請求項１３に記載のオーディオ信号のデコーディング装置。
【請求項１９】
前記空間情報及びフィルタ情報を用いて前記サラウンド変換情報を生成することを特徴とする、請求項１３に記載のオーディオ信号のデコーディング装置。
【請求項２０】
前記情報変換部は、前記空間情報をチャネル別にマッピングしたチャネルマッピング情報を生成し、前記チャネルマッピング情報及びフィルタ情報を用いて前記サラウンド変換情報を生成することを特徴とする、請求項１３に記載のオーディオ信号のデコーディング装置。
【請求項２１】
前記情報変換部は、前記空間情報及びフィルタ情報を用いてチャネル係数情報を生成し、前記チャネル係数情報を用いて前記サラウンド変換情報を生成することを特徴とする、請求項１３に記載のオーディオ信号のデコーディング装置。
【請求項２２】
前記情報変換部は、
前記空間情報をチャネル別にマッピングしたチャネルマッピング情報を生成するチャネルマッピング部と、
前記チャネルマッピング情報及びフィルタ情報を用いてチャネル係数情報を生成する係数生成部と、
前記チャネル係数情報を用いて前記サラウンド変換情報を生成する合成部と、
を含むことを特徴とする、請求項１３に記載のオーディオ信号のデコーディング装置。
【請求項２３】
前記逆多重化部は、前記ダウンミックス信号及び前記空間情報を含むオーディオ信号を受信し、前記ダウンミックス信号及び前記空間信号は、前記オーディオ信号から抽出されることを特徴とする、請求項１３に記載のオーディオ信号のデコーディング装置。
【請求項２４】
前記空間情報がＣＬＤとＩＣＣのうちの少なくとも一方を含むことを特徴とする、請求項１３に記載のオーディオ信号のデコーディング装置。